(57)【要約】【課題】特殊な別部材を用いることなく、長期間に亘って定着状態を安定して維持することができる笠木ブロックの定着構造を提供すること。【解決手段】ブロック塀１の躯体の上端に目地３を介して笠木ブロック４を定着するに際し、ブロック塀１における笠木ブロック４の定着構造において、ブロック塀１の躯体の上端部を構成するブロック２のフェイスシェル２２の上端面に対向する笠木ブロック４の下面の位置に、笠木ブロック４の長さ方向に延びる凹溝４２を形成し、この凹溝４２に目地３を形成するモルタル３０が充填されるようにする。【選択図】図１
0003185253.tif 000002
【実用新案登録請求の範囲】
【請求項１】
ブロック塀の躯体の上端に目地を介して笠木ブロックを定着するブロック塀における笠木ブロックの定着構造において、ブロック塀の躯体の上端部を構成するブロックのフェイスシェルの上端面に対向する笠木ブロックの下面の位置に、笠木ブロックの長さ方向に延びる凹溝を形成し、該凹溝に目地を形成するモルタルが充填されるようにしてなることを特徴とするブロック塀における笠木ブロックの定着構造。
【請求項２】
前記凹溝を、ブロック塀の躯体の上端部を構成するブロックの上面に形成した横筋用溝に対向する笠木ブロックの下面の位置に跨って形成したことを特徴とする請求項１記載のブロック塀における笠木ブロックの定着構造。
【請求項３】
前記凹溝を、笠木ブロックの長さ方向に断続して形成したことを特徴とする請求項１又は２記載のブロック塀における笠木ブロックの定着構造。
【考案の詳細な説明】
【技術分野】
【０００１】
本考案は、ブロック塀の躯体の上端に目地を介して笠木ブロックを定着するブロック塀における笠木ブロックの定着構造に関するものである。
【背景技術】
【０００２】
従来、図４に示すように、ブロック塀１は、複数のブロック２を上下方向に積み重ねて躯体を形成し、その上端に目地３を介して笠木ブロック４を定着し、美観を保つようにしている。
ところで、ブロック塀１の躯体の上端部を構成するブロック２の上面には、横筋用溝２１が形成され、ブロック塀１の躯体を構築するに際して、横筋用溝２１内に横筋５１及び縦筋５２を配筋し、横筋用溝２１内に目地３を形成するモルタル３０を充填し、この目地３を介して笠木ブロック４を定着するようにしている。
しかしながら、この笠木ブロック４の定着構造は、横筋用溝２１内に充填した目地３を形成するモルタル３０と笠木ブロック４の平面状に形成された下面とを、モルタル３０をバインダとして一体化するものであるため、温度変化や経年変化に起因する両者の収縮率の差等によって、定着状態が維持できなくなり、笠木ブロック４が離脱するという問題があった。
【０００３】
この問題に対処するために、図５に示すように、笠木ブロック４の下面にブロック係止金具６を装着し、このブロック係止金具６を横筋用溝２１内に充填した目地３を形成するモルタル３０に埋め込むことにより定着力を補うようにした笠木ブロック４の定着構造が提案されている（特許文献１参照。）。
【先行技術文献】
【特許文献】
【０００４】
【特許文献１】特開２００１−３２５７８号公報
【考案の概要】
【考案が解決しようとする課題】
【０００５】
しかしながら、上記ブロック係止金具６を用いる笠木ブロック４の定着構造は、ブロック係止金具６がコスト増の要因になることに加え、ブロック係止金具６を笠木ブロック４の下面に装着する作業に手数を要し、作業効率が低下したり、笠木ブロック４の下面に装着したブロック係止金具６が、横筋５１や縦筋５２と干渉して不具合が発生するという問題があった。
【０００６】
本考案は、上記従来の笠木ブロックの定着構造の有する問題点に鑑み、上記ブロック係止金具６のような特殊な別部材を用いることなく、長期間に亘って定着状態を安定して維持することができる笠木ブロックの定着構造を提供することを目的とする。
【課題を解決するための手段】
【０００７】
上記目的を達成するため、本考案のブロック塀の躯体の上端に目地を介して笠木ブロックを定着するブロック塀における笠木ブロックの定着構造において、ブロック塀の躯体の上端部を構成するブロックのフェイスシェルの上端面に対向する笠木ブロックの下面の位置に、笠木ブロックの長さ方向に延びる凹溝を形成し、該凹溝に目地を形成するモルタルが充填されるようにしてなることを特徴とする。
【０００８】
この場合において、前記凹溝を、ブロック塀の躯体の上端部を構成するブロックの上面に形成した横筋用溝に対向する笠木ブロックの下面の位置に跨って形成することができる。
【０００９】
また、前記凹溝を、笠木ブロックの長さ方向に断続して形成することができる。
【考案の効果】
【００１０】
本考案の笠木ブロックの定着構造によれば、ブロック塀の躯体の上端に目地を介して笠木ブロックを定着するブロック塀における笠木ブロックの定着構造において、ブロック塀の躯体の上端部を構成するブロックのフェイスシェルの上端面に対向する笠木ブロックの下面の位置に、笠木ブロックの長さ方向に延びる凹溝を形成し、該凹溝に目地を形成するモルタルが充填されるようにしてなることから、温度変化や経年変化に起因する笠木ブロックと目地を形成するモルタルの収縮率の差が生じても、定着状態を確実に維持することができ、特殊な別部材を用いることなく、長期間に亘って定着状態を安定して維持することができる。
ここで、笠木ブロックの凹溝は、ブロック塀の躯体の上端部を構成するブロックのフェイスシェルの上端面に対向する位置に形成されているため、凹溝に充填したモルタルは、ブロックのフェイスシェルの上端面に支持された状態で養生されるため、凹溝から離脱することなく、凹溝内に密に充填された状態で固化させることができる。
【００１１】
また、前記凹溝を、ブロック塀の躯体の上端部を構成するブロックの上面に形成した横筋用溝に対向する笠木ブロックの下面の位置に跨って形成することにより、凹溝に充填したモルタルは、横筋用溝内に充填したモルタルと一体となり、定着状態をより確実に維持することができる。
【００１２】
また、前記凹溝を、笠木ブロックの長さ方向に断続して形成することにより、凹溝に充填されたモルタルを含む目地の断面形状が笠木ブロックの長さ方向で変化するため、笠木ブロックが、その長さ方向に移動することを規制することができ、凹溝と、凹溝に充填されたモルタルとの付着面積が増加することと相俟って、定着状態をより確実に維持することができる。
【図面の簡単な説明】
【００１３】
【図１】本考案の笠木ブロックの定着構造の一実施例を示す断面図である。
【図２】笠木ブロックの一例（基本型）を示し、（ａ）は一部断面の正面図（（ｂ）のＸ−Ｘ断面図）、（ｂ）は底面図、（ｃ）は側面図である。
【図３】笠木ブロックの一例（コーナー用）を示し、（ａ）は一部断面の正面図（（ｂ）のＹ−Ｙ断面図）、（ｂ）は底面図、（ｃ）は側面図である。
【図４】従来の笠木ブロックの定着構造を示す断面図である。
【図５】従来の笠木ブロックの定着構造を示す断面図である。
【考案を実施するための形態】
【００１４】
以下、本考案の笠木ブロックの定着構造の実施の形態を、図面に基づいて説明する。
【００１５】
図１〜図２に、本考案の笠木ブロックの定着構造の一実施例を示す。
この笠木ブロックの定着構造は、ブロック塀１の躯体の上端に目地３を介して笠木ブロック４を定着するブロック塀１における笠木ブロック４の定着構造において、ブロック塀１の躯体の上端部を構成するブロック２のフェイスシェル２２の上端面に対向する笠木ブロック４の下面の位置に、笠木ブロック４の長さ方向に延びる凹溝４２を形成し、この凹溝４２に目地３を形成するモルタル３０が充填されるようにしている。
【００１６】
この場合、凹溝４２は、ブロック塀１の躯体の上端部を構成するブロック２のフェイスシェル２２の上端面に対向する笠木ブロック４の下面の位置と、ブロック２の上面に形成した横筋用溝２１に対向する笠木ブロックの下面の位置とに跨って形成することができる。
これにより、凹溝４２に充填したモルタルは、ブロック２のフェイスシェル２２の上端面に支持された状態で養生されるため、凹溝４２から離脱することなく、凹溝４２内に密に充填された状態で固化させることができるとともに、ブロック２の上面に形成した横筋用溝２１内に充填したモルタル３０と一体となり、定着状態を確実に維持することができる。
なお、本実施例では、凹溝４２は、笠木ブロック４の下面に形成した、ブロック２の上面に形成した横筋用溝２１に対向する横溝４１に沿って近接（隔壁Ｗａの幅Ｗ０を３〜１０ｍｍ（本実施例においては、５．７５ｍｍ））して形成するようにしているが、隔壁Ｗａの幅Ｗ０が狭く、笠木ブロック４の輸送時等の取り扱いが悪く、万一、隔壁Ｗａが崩れても、ブロック２の上面に形成した横筋用溝２１内に充填したモルタル３０と一体となるため支障はない。
【００１７】
凹溝４２の形状は、特に限定されるものではないが、笠木ブロック４の長さ方向に連続して形成したり、断続して形成することができる。
特に、凹溝４２を笠木ブロック４の長さ方向に断続して形成することにより、凹溝４２に充填されたモルタル３０を含む目地３の断面形状が笠木ブロック４の長さ方向で変化するため、笠木ブロック４が、その長さ方向に移動することを規制することができ、凹溝４２と、凹溝４２に充填されたモルタル３０との付着面積が増加することと相俟って、定着状態を確実に維持することができる。
【００１８】
凹溝４２を笠木ブロック４の長さ方向に断続して形成する場合、凹溝４２は、笠木ブロック４の長さ方向の長さＬを３０〜８０ｍｍ（本実施例においては、５０ｍｍ）、幅Ｗを８〜１５ｍｍ（本実施例においては、１０ｍｍ）、深さＤを８〜１５ｍｍ（本実施例においては、１０ｍｍ）にとし、凹溝４２にモルタル３０が充填され易くするために、笠木ブロック４の長さ方向の両端を傾斜面（又は曲面）に形成するようにする。
【００１９】
ところで、図２は、基本型の笠木ブロック４を示すが、コーナー用の笠木ブロック４も、図３に示すように、同様に凹溝４２を形成することができ、同様の作用効果を奏するものとなる。
【００２０】
また、本実施例においては、笠木ブロック４として、ブロック塀１の躯体の上端部を構成するブロック２の上面に形成した横筋用溝２１に対向する横溝４１が形成された笠木ブロック４について説明したが、この横溝が形成されていない笠木ブロックにも、凹溝４２を形成する本考案の笠木ブロックの定着構造を適用することができ、同様の作用効果を奏するものとなる。
【００２１】
また、施工現場の状況等によって、笠木ブロック４の横溝４１にモルタルを充填せずに施工されることもあるが、この場合でも、凹溝４２に目地３を形成するモルタル３０が充填されることから、同様の作用効果を奏するものとなる。
【００２２】
以上、本考案の笠木ブロックの定着構造について、その実施例に基づいて説明したが、本考案は上記実施例に記載した構成に限定されるものではなく、その趣旨を逸脱しない範囲において適宜その構成を変更することができるものである。
【産業上の利用可能性】
【００２３】
本考案の笠木ブロックの定着構造は、特殊な別部材を用いることなく、長期間に亘って定着状態を安定して維持することができるという特性を有していることから、ブロック塀の躯体の上端に目地を介して笠木ブロックを定着するブロック塀の用途に好適に用いることができる。
【符号の説明】
【００２４】
１  ブロック塀
２  ブロック
２１  横筋用溝
２２  フェイスシェル
３  目地
３０  モルタル
４  笠木ブロック
４１  横溝
４２  凹溝
５１  横筋
５２  縦筋
【図１】
0003185253.tif 000003
【図２】
0003185253.tif 000004
【図３】
0003185253.tif 000005
【図４】
0003185253.tif 000006
【図５】
0003185253.tif 000007